(57)【要約】【課題】コンパクトかつシンプルな構造の脚部により、効果的に振動を抑制する電子機器を提供する。【解決手段】設置時に筐体を支持するための脚部を備えた電子機器であって、脚部は、筐体側に配置され、加圧時に変形しやすい軟質部材と、電子機器の設置面側に配置され、加圧時に変形しにくい硬質部材と、有し、軟質部材は、硬質部材と接触する面に、複数の突起部を有することを特徴とする。この特徴により、電子機器の設置時に、電子機器に対する左右方向の振動（横揺れ）を抑えることができる。【選択図】図１
2012073735.tif 000002
【特許請求の範囲】
【請求項１】
設置時に筐体を支持するための脚部を備えた電子機器であって、
前記脚部は、
前記筐体側に配置される軟質部材と、
前記電子機器の設置面側に配置される硬質部材と、有し、
前記軟質部材は、
前記硬質部材と接触する面に、複数の突起部を有することを特徴とすることを特徴とする電子機器。
【請求項２】
前記硬質部材は、
その先端が前記電子機器の外周方向を向くように、前記設置面に対して所定角度傾いて設けられていることを特徴とする請求項１記載の電子機器。
【請求項３】
前記筐体は、
前記脚部が設けられる位置が凹構造に形成され、
前記軟質部材は、
前記凹構造に配置されることを特徴とする請求項１又は２記載の電子機器。
【請求項４】
前記硬質部材は、
前記筐体に取り付けられるカバー部材によって前記軟質部材の下方に保持されることを特徴とする請求項１から３のいずれか１項に記載の電子機器。
【発明の詳細な説明】
【技術分野】
【０００１】
本発明は、筐体を支持するための脚部を有する電子機器に関する。
【背景技術】
【０００２】
ノート型ＰＣ（Personal Computer）等の電子機器では、例えば筐体の底面に、筐体を支持するための脚部が設けられている。この脚部は、電子機器が所定の設置面（電子機器が設置（載置）される面。例えば机やテーブルの面）に設置されたときに、電子機器を設置面に固定的に支持するとともに、設置面から電子機器に伝わる振動を抑制する役割を果たす。なお、後者の役割の例として、特許文献１に開示されている免震装置がある。
【先行技術文献】
【特許文献】
【０００３】
【特許文献１】特開平１０−０９６４４５号公報
【発明の概要】
【発明が解決しようとする課題】
【０００４】
しかしながら、特許文献１の免震装置は複雑な構造を有するものであり、製作上のコストがかかるという問題がある。
【０００５】
本発明は、上記事情に鑑みてなされたものであり、コンパクトかつシンプルな構造の脚部により、効果的に振動を抑制する電子機器を提供することを目的とする。
【課題を解決するための手段】
【０００６】
かかる目的を達成するために、本発明の電子機器は、設置時に筐体を支持するための脚部を備えた電子機器であって、脚部は、筐体側に配置される軟質部材と、電子機器の設置面側に配置される硬質部材と、有し、軟質部材は、硬質部材と接触する面に、複数の突起部を有することを特徴とする。
【発明の効果】
【０００７】
本発明によれば、コンパクトかつシンプルな構造の脚部により、効果的に振動を抑制する電子機器を提供することが可能となる。
【図面の簡単な説明】
【０００８】
【図１】本発明の一実施形態に係るＰＣの側面及び底面の外観例を示す図である。
【図２】本発明の一実施形態に係るＰＣの一の脚部の側断面を拡大して示す図である。
【図３】本発明の一実施形態に係るＰＣの脚部の別形態の側断面を拡大して示す図である。
【図４】本発明の一実施形態に係る変形例におけるＰＣの脚部の側断面を拡大して示す図である。
【図５】本発明の一実施形態に係る変形例におけるＰＣの底面を示す図である。
【発明を実施するための形態】
【０００９】
以下、本発明を実施するための形態（実施形態）について添付図面を参照して詳細に説明する。
【００１０】
本発明の電子機器の一実施形態として、ノート型ＰＣ（以下、ＰＣという）を例に説明する。図１は、本実施形態のＰＣの外観例を示しており、（ａ）が右側面図、（ｂ）が底面図である。以下、図１について説明する。
【００１１】
図１（ａ）に示すように、ＰＣは、筐体１と筐体２とが図示しないヒンジによって接続されたノート型ＰＣである。筐体１には、矢印で示す画像表示面にディスプレイが備えられ、また、筐体２には、矢印で示すキーボード操作面にキーボードが備えられる。また、図１（ａ）及び（ｂ）に示すように、筐体２の底面には、複数の硬質部材３（図の例では４つ）及びカバー部材４が備えられている。硬質部材３は、脚部を構成する一部である。図１（ａ）に示すように、硬質部材３の先端が設置面（例えば、机やテーブル等における、ＰＣが設置・載置される面）に接触することで、筐体２が支持される。カバー部材４には、複数の硬質部材３に対応する位置に穴部（開口部）が形成されており、カバー部材４が筐体２の底面に備え付けられたときに、硬質部材３が穴部を介して外部に露出する。
【００１２】
次に、図２を用いて、本実施形態のＰＣの特徴となる脚部の構成について説明する。図２は、図１に示すＰＣの脚部の１つの側断面を拡大して示す図である。図１（ａ）は、ＰＣが所定の設置面に設置される前の状態を示しており、図２（ｂ）は、ＰＣが所定の設置面に設置されたときの状態を示している。
【００１３】
図２（ａ）に示すように、筐体２において、硬質部材３が配置される位置（言い換えれば、脚部が設けられる位置）は、凹構造（筐体の内部方向に凹んだ構造）となっている。そして、この凹構造には、図２（ａ）に示すように、脚部を構成する一部である軟質部材６が配置されており、その軟質部材６の一面（下面）には、複数の突起部７が設けられている。
【００１４】
突起部７の下方には、上述した硬質部材３が配置されている。硬質部材３には、つば部５が設けられている。そして、このつば部５が、図２（ａ）に示すように、筐体２の底面に備え付けられたカバー部材４に引っかかることで、突起部７の下方に保持されている。図２（ａ）の例では、つば部５と突起部７との間は、空洞（空間）となっている。
【００１５】
なお、硬質部材３は、力が加わったときに変形しにくい素材（例えば、硬質ゴムや金属など）で構成された部材である。また、軟質部材６及びつば部５は、力が加わったときに変形しやすい素材（例えば、軟質ゴムなど）で構成された部材である。
【００１６】
以上のように、図２（ａ）に示すように脚部が構成されたＰＣが、机やテーブル等に設置されると、図２（ｂ）に示すようになる。すなわち、硬質部材３の先端が設置面に接触し、筐体２を支持した状態となる。また、硬質部材３のつば部５が突起部７に接触し、突起部７が押しつぶされた状態となる。これにより、ＰＣに対する、矢印ｘで示す左右方向の振動（横揺れ）を抑えることができる。
【００１７】
なお、上記説明では、図２（ａ）のように、ＰＣが設置面に設置される前のときに、つば部５と突起部７が接触しない構成を例としたが、これに限定されない。例えば、図３に示すように、ＰＣが設置面に設置される前のときに、つば部５と突起部７が接触する構成としてもよい。この構成であっても、ＰＣが設置面に設置されたときに、図２（ｂ）に示す状態となり、ＰＣに対する左右方向の振動を抑制することができる。
【００１８】
以上説明したように、本実施形態によれば、電子機器において、コンパクトかつシンプルな構造の脚部により、効果的に振動を抑制することができる。
【００１９】
次に、上記実施形態の変形例について、図４、図５を参照して説明する。上記説明では、ＰＣの設置時に、硬質部材３の先端が設置面に対し垂直に接触する（図２（ｂ）参照）ものとしたが、本変形例では、ＰＣの設置時に、硬質部材３の先端が設置面に対し所定の角度傾いて接触するようにする。本変形例におけるＰＣ設置時の２つの例を図４（ａ）、（ｂ）にそれぞれ示す。
【００２０】
図４（ａ）は、複数の突起部７の大きさ又は形状を予め個々に異なるように形成し、それら突起部７に接触するつば部５が傾くことで、硬質部材３全体が傾くようにした例である。一方、図４（ｂ）は、硬質部材３のつば部５の下方部分を予め傾けて形成した例である。図４（ａ）、（ｂ）のどちらであっても、ＰＣの設置時に、硬質部材３が設置面に対して傾いて接触する。このとき、硬質部材３の先端は、筐体２の外周の方向に傾く。図５の各矢印は、筐体２の外周方向を向いており、各硬質部材４の先端が傾く方向を示している。
【００２１】
また、図４（ａ）、（ｂ）に示すＦ（設置面を押す力の成分）は、図４（ｃ）に示すようにＦ１とＦ２に分解される。Ｆ２は、筐体２の外周に引っ張る力となる。また、設置面から受ける反力Ｆ’は、図４（ｃ）に示すようにＦ１’とＦ２’に分解される。Ｆ２’は、つば部５と突起部７の接触面に働く。このようなことから、本変形例によれば、ＰＣ全体の水平運動（図４（ａ）、（ｂ）に示す矢印ｘの方向への動き）を抑制できる。
【００２２】
以上、本発明の実施形態について説明したが、上記実施形態に限定されるものではなく、その要旨を逸脱しない範囲において種々の変形が可能である。
【符号の説明】
【００２３】
１    （ディスプレイを備えた）筐体
２    （キーボードを備えた）筐体
３    硬質部材
４    カバー部材
５    つば部
６    軟質部材
７    突起部
【図１】
2012073735.tif 000003
【図２】
2012073735.tif 000004
【図３】
2012073735.tif 000005
【図４】
2012073735.tif 000006
【図５】
2012073735.tif 000007